(57)【特許請求の範囲】
【請求項１】
複数の店舗に関して、各店舗で会員登録を行った会員に関する会員情報と、該会員の電子メールアドレスと、当該会員登録が行われた店舗を個々に特定できる店舗特定情報とを対応付けて記憶する記憶手段と、
該記憶手段に記憶されている電子メールアドレス宛に電子メールを送信する送信手段と、
を備える管理装置であって、
新たに会員登録を行った会員に関する会員情報と、該会員の電子メールアドレスと、当該会員登録が行われた店舗の前記店舗特定情報とを入力する入力手段と、
該入力手段に入力された電子メールアドレスが、前記記憶手段に既に記憶されているか否かを判定する記憶判定手段と、をさらに備え、
前記記憶手段は、該記憶判定手段により未だ記憶されていないと判定されたときには、前記入力手段に入力された会員情報と、電子メールアドレスと、店舗特定情報とを対応付けて新たに記憶し、前記記憶判定手段により既に記憶されていると判定されたときには、前記入力手段に入力された電子メールアドレスを新たに記憶することなく、当該既に記憶されている電子メールアドレスと対応付けて、少なくとも前記入力手段に入力された店舗特定情報を記憶することを特徴とする管理装置。
【請求項２】
請求項１に記載した管理装置であって、
複数の店舗に関して各店舗独自の内容の電子メールをそれぞれの店舗で会員登録を行った会員に送信するときに、前記記憶手段に記憶されている各電子メールアドレス毎に、当該電子メールアドレスと対応付けて前記複数の店舗のうちのいずれの店舗の店舗特定情報が記憶されているかを特定する店舗特定手段と、
前記各電子メールアドレス毎に、該店舗特定手段により特定された店舗特定情報から特定される店舗に関する電子メールの内容を合わせた１つの電子メールを作成する電子メール統合手段と、をさらに備え、
前記送信手段は、前記各電子メールアドレス宛に、該電子メール統合手段により作成された電子メールを送信することを特徴とする管理装置。
【請求項３】
請求項１又は２に記載した管理装置であって、
前記会員情報には、前記会員に関する属性情報が含まれ、
前記記憶判定手段により既に記憶されていると判定されたときに、前記入力手段に入力された属性情報が、当該既に記憶されている電子メールアドレスと対応付けて前記記憶手段に記憶されている属性情報と一致するか否かを判定する属性判定手段をさらに備え、
前記記憶手段は、該属性判定手段により一致しないと判定されたことを条件として、該記憶手段に記憶されている属性情報を前記入力手段に入力された属性情報に更新して記憶することを特徴とする管理装置。
【請求項４】
請求項３に記載した管理装置であって、
前記店舗に設けられ、当該店舗で会員登録を行った会員に関する属性情報を含む会員情報を管理する店舗管理装置と通信できる通信手段をさらに備え、
該通信手段は、前記記憶手段において前記属性情報の更新が行われたときに、該更新された属性情報を含む更新指示を、該更新された属性情報と対応付けて記憶されている店舗特定情報から特定される店舗に設けられる店舗管理装置に対して送信することを特徴とする管理装置。
【請求項５】
請求項１〜４のいずれか１つに記載した管理装置であって、
広告情報と、該広告情報を送信する対象となる会員の属性条件とを受け付ける広告受付手段をさらに備え、
前記記憶手段が前記電子メールアドレスと対応付けて記憶している属性情報に基づいて、前記広告受付手段により受け付けた会員の属性条件に合致する会員の電子メールアドレスを抽出する抽出手段を備え、
前記送信手段は、該抽出手段により抽出された電子メールアドレス宛に、前記広告受付手段により受け付けた広告情報を含む電子メールを送信することを特徴とする管理装置。
【請求項６】
請求項１〜５のいずれか１つに記載した管理装置であって、
一つの電子メールアドレスに対して所定期間内に送信する電子メールの数の上限を設定する上限設定手段をさらに備え、
前記記憶手段は、前記電子メールアドレスと対応付けて、該電子メールアドレス宛に所定期間内に送信した電子メールの数を記憶し、
前記送信手段は、該記憶手段が記憶している電子メールの数が前記上限設定手段により設定された上限に達していることを条件として、当該電子メールアドレス宛に電子メールを送信しないことを特徴とする管理装置。
【請求項７】
請求項６に記載した管理装置であって、
各電子メールの内容毎に、前記所定期間内に送信される電子メールの数が前記上限設定手段により設定された上限に達した後であっても当該内容の電子メールの送信を行うか否かを設定する優先メール設定手段をさらに備え、
該優先メール設定手段により送信を行うと設定された内容の電子メールを会員に送信するときには、前記送信手段は、前記記憶手段が記憶している電子メールの数が前記上限設定手段により設定された上限に達した電子メールアドレスであっても、当該電子メールアドレス宛に電子メールを送信することを特徴とする管理装置。
【発明の詳細な説明】
【技術分野】
【０００１】
本発明は、会員登録を行った会員の電子メールアドレス宛に電子メールを送信する管理装置に関する。
【背景技術】
【０００２】
従来より、例えば特許文献１に示すように、複数の遊技店の情報サーバから送信される各遊技店の会員情報（電子メールアドレスを含む）をセンタサーバで管理して、前記複数の遊技店の会員を対象に共通内容の電子メールを送信する情報提供装置が提案されている。
【０００３】
【特許文献１】特開２０００−２０９２５５号公報（第４頁，図１）
【発明の開示】
【発明が解決しようとする課題】
【０００４】
通常、同一の顧客が複数の店舗に会員登録する場合、当該顧客は同一の電子メールアドレスで各店舗に会員登録する。そのため、上記情報提供装置において複数の店舗の会員に共通した内容の電子メールを送信する場合、電子メールを送信するセンタサーバは、複数店舗に会員登録している会員の電子メールアドレス宛に同一内容の電子メールを重複して送信するという無駄な処理を行うこととなる。また、そのような無駄な処理の結果、同一内容の電子メールを重複して受信した会員が不快感を抱くというおそれもある。
【０００５】
本発明は、このような背景のもとになされたものであり、その目的は、顧客が複数の店舗に同一の電子メールアドレスで会員登録をしている場合に、当該電子メールアドレス宛に同一内容の電子メールを重複して送信するという無駄な処理を行わず、前記顧客が同一内容の電子メールを重複して受信することにより不快感を抱くことを防止する管理装置を提供することにある。
【課題を解決するための手段】
【０００６】
本発明は、前記課題を解決するために、次のような手段を採る。なお後述する発明を実施するための最良の形態の説明及び図面で使用した符号を参考のために括弧書きで付記するが、本発明の構成要素は該付記したものには限定されない。
【０００７】
まず請求項１に係る発明は、複数の店舗（遊技場１）に関して、各店舗（Ａ〜Ｃ）で会員登録を行った会員に関する会員情報（会員ＩＤ，氏名，性別，住所，生年月日，年齢）と、該会員の電子メールアドレスと、当該会員登録が行われた店舗を個々に特定できる店舗特定情報（ホールＩＤ）とを対応付けて記憶する記憶手段（ハードディスク６３）と、該記憶手段に記憶されている電子メールアドレス宛に電子メールを送信する送信手段（通信部６１）と、を備える管理装置（６０）であって、新たに会員登録を行った会員に関する会員情報と、該会員の電子メールアドレスと、当該会員登録が行われた店舗の前記店舗特定情報とを入力する入力手段（入力装置６４，ディスプレイ６５）と、該入力手段に入力された電子メールアドレスが、前記記憶手段に既に記憶されているか否かを判定する記憶判定手段（制御部６２）と、をさらに備え、前記記憶手段は、該記憶判定手段により未だ記憶されていないと判定されたときには、前記入力手段に入力された会員情報と、電子メールアドレスと、店舗特定情報とを対応付けて新たに記憶し、前記記憶判定手段により既に記憶されていると判定されたときには、前記入力手段に入力された電子メールアドレスを新たに記憶することなく、当該既に記憶されている電子メールアドレスと対応付けて、少なくとも前記入力手段に入力された店舗特定情報を記憶することを特徴とする管理装置である。
【０００８】
また請求項２に係る発明は、請求項１に記載した管理装置（６０）であって、複数の店舗（遊技場１）に関して各店舗独自の内容の電子メールをそれぞれの店舗（Ａ〜Ｃ）で会員登録を行った会員に送信するときに、前記記憶手段（ハードディスク６３）に記憶されている各電子メールアドレス毎に、当該電子メールアドレスと対応付けて前記複数の店舗のうちのいずれの店舗の店舗特定情報（ホールＩＤ）が記憶されているかを特定する店舗特定手段（制御部６２）と、前記各電子メールアドレス毎に、該店舗特定手段により特定された店舗特定情報から特定される店舗に関する電子メールの内容を合わせた１つの電子メールを作成する電子メール統合手段（制御部６２）と、をさらに備え、前記送信手段（通信部６１）は、前記各電子メールアドレス宛に、該電子メール統合手段により作成された電子メールを送信することを特徴とする管理装置である。
【０００９】
また請求項３に係る発明は、請求項１又は２に記載した管理装置（６０）であって、前記会員情報には、前記会員に関する属性情報（性別，住所，生年月日，年齢）が含まれ、前記記憶判定手段（制御部６２）により既に記憶されていると判定されたときに、前記入力手段（入力装置６４，ディスプレイ６５）に入力された属性情報が、当該既に記憶されている電子メールアドレスと対応付けて前記記憶手段に記憶されている属性情報と一致するか否かを判定する属性判定手段（制御部６２）をさらに備え、前記記憶手段（ハードディスク６３）は、該属性判定手段により一致しないと判定されたことを条件として、該記憶手段に記憶されている属性情報を前記入力手段に入力された属性情報に更新して記憶することを特徴とする管理装置である。
【００１０】
また請求項４に係る発明は、請求項３に記載した管理装置（６０）であって、前記店舗（遊技場１）に設けられ、当該店舗で会員登録を行った会員に関する属性情報を含む会員情報を管理する店舗管理装置（場内管理装置５０）と通信できる通信手段（６１）をさらに備え、該通信手段は、前記記憶手段（ハードディスク６３）において前記属性情報（性別，住所，生年月日，年齢）の更新が行われたときに、該更新された属性情報を含む更新指示を、該更新された属性情報と対応付けて記憶されている店舗特定情報（ホールＩＤ）から特定される店舗（Ａ〜Ｃ）に設けられる店舗管理装置に対して送信することを特徴とする管理装置である。
【００１１】
また請求項５に係る発明は、請求項１〜４のいずれか１つに記載した管理装置（６０）であって、広告情報と、該広告情報を送信する対象となる会員の属性条件（性別，年齢）とを受け付ける広告受付手段（入力装置６４，ディスプレイ６５）をさらに備え、前記記憶手段（ハードディスク６３）が前記電子メールアドレスと対応付けて記憶している属性情報（性別，住所，生年月日，年齢）に基づいて、前記広告受付手段により受け付けた会員の属性条件に合致する会員の電子メールアドレスを抽出する抽出手段（制御部６２）を備え、前記送信手段（通信部６１）は、該抽出手段により抽出された電子メールアドレス宛に、前記広告受付手段により受け付けた広告情報を含む電子メールを送信することを特徴とする管理装置である。
【００１２】
また請求項６に係る発明は、請求項１〜５のいずれか１つに記載した管理装置（６０）であって、一つの電子メールアドレスに対して所定期間内に送信する電子メールの数の上限を設定する上限設定手段（入力装置６４，ディスプレイ６５）をさらに備え、前記記憶手段（ハードディスク６３）は、前記電子メールアドレスと対応付けて、該電子メールアドレス宛に所定期間内に送信した電子メールの数を記憶し、前記送信手段（通信部６１）は、該記憶手段が記憶している電子メールの数が前記上限設定手段により設定された上限に達していることを条件として、当該電子メールアドレス宛に電子メールを送信しないことを特徴とする管理装置である。
【００１３】
さらに請求項７に係る発明は、請求項６に記載した管理装置（６０）であって、各電子メールの内容毎に、前記所定期間内に送信される電子メールの数が前記上限設定手段（入力装置６４，ディスプレイ６５）により設定された上限に達した後であっても当該内容の電子メールの送信を行うか否かを設定する優先メール設定手段（入力装置６４，ディスプレイ６５）をさらに備え、該優先メール設定手段により送信を行うと設定された内容の電子メールを会員に送信するときには、前記送信手段（通信部６１）は、前記記憶手段（ハードディスク６３）が記憶している電子メールの数が前記上限設定手段により設定された上限に達した電子メールアドレスであっても、当該電子メールアドレス宛に電子メールを送信することを特徴とする管理装置である。
【発明の効果】
【００１４】
まず請求項１に係る管理装置によれば、入力された電子メールアドレスが、記憶手段に既に記憶されているときには、該入力された電子メールアドレスを新たに記憶することなく、当該既に記憶されている電子メールアドレスと対応付けて店舗特定情報を記憶するので、顧客が複数の店舗に同一の電子メールアドレスにより会員登録をしている場合でも、該電子メールアドレス宛に同一内容の電子メールを重複して送信するという無駄な処理を行うことが無くなる。その結果、同一内容の電子メールを重複して受信した顧客が不快感を抱くというおそれもなくなる。
【００１５】
また請求項２に係る管理装置によれば、店舗特定情報から特定される店舗に関する電子メールの内容を合わせた１つの電子メールを作成し、送信するので、複数店舗に会員登録している顧客に関して重複した送信処理が不要となる。これに伴い、会員も一通の電子メールで複数店舗の電子メール内容を確認できるため、電子メールの確認作業が簡素化される。
【００１６】
また請求項３に係る管理装置によれば、入力された属性情報が、既に記憶されている電子メールアドレスと対応付けて記憶されている属性情報と一致しないときに、該記憶されている属性情報を前記入力された属性情報に更新して記憶するので、常に最新の属性情報を管理することができる。これにより、例えば属性情報に基づいて送信対象となる会員の電子メールアドレスを抽出する際に、最新の属性情報に基づく正確な抽出が可能となる。
【００１７】
また請求項４に係る管理装置によれば、更新指示を、更新された属性情報と対応付けて記憶されている店舗特定情報から特定される店舗に設けられる店舗管理装置に対して送信するので、会員が属性情報の更新を行うために各店舗で更新手続を行う手間が省け、各店舗で管理している属性情報を最新のものに更新することができる。
【００１８】
また請求項５に係る管理装置によれば、広告受付手段により受け付けた会員の属性条件に合致する会員の電子メールアドレスを抽出し、同受け付けた広告情報を含む電子メールを送信するので、当該管理装置で管理している会員を広告対象（たとえば他企業から依頼された広告の送信対象）として利用することができると共に、広告内容によって送信対象となる会員を限定できるため、広告効果の薄い会員宛に前記電子メールを送信するという無駄な処理を低減できる。その結果、自分に関係のない電子メールを受信した会員が不快感を抱くというおそれもなくなる。
【００１９】
また請求項６に係る管理装置によれば、所定期間内に送信した電子メールの数が、予め設定された上限に達した電子メールアドレス宛に電子メールを送信しないので、電子メールが度を超えて頻繁に送信されて会員に不快感を抱かせることがなくなる。
【００２０】
さらに請求項７に係る管理装置によれば、優先メール設定手段により送信を行うと設定された内容の電子メールを送信する場合には、所定期間内に送信される電子メールの数が、予め設定された上限に達した電子メールアドレスであっても当該電子メールを送信するので、上限に関わらず重要性の高い電子メールについては確実に送信できる。
【発明を実施するための最良の形態】
【００２１】
以下、発明を実施するための最良の形態を、図面を参照して説明する。本発明の管理装置６０は、図１に示すように、複数の店舗（遊技場１）に関して、各店舗（Ａ〜Ｃ）で会員登録を行った会員に関する会員情報と、該会員の電子メールアドレスと、当該会員登録が行われた店舗を個々に特定できる店舗特定情報とを対応付けて記憶する記憶手段（ハードディスク６３）と、該記憶手段に記憶されている電子メールアドレス宛に電子メールを送信する送信手段（通信部６１）と、新たに会員登録を行った会員に関する会員情報と、該会員の電子メールアドレスと、当該会員登録が行われた店舗の店舗特定情報（ホールＩＤ）とを入力する入力手段（入力装置６４，ディスプレイ６５）と、該入力手段に入力された電子メールアドレスが、記憶手段に既に記憶されているか否かを判定する記憶判定手段（制御部６２）等を備え、記憶手段は、記憶判定手段により未だ記憶されていないと判定されたときには、入力手段に入力された会員情報と、電子メールアドレスと、店舗特定情報とを対応付けて新たに記憶し、記憶判定手段により既に記憶されていると判定されたときには、入力手段に入力された電子メールアドレスを新たに記憶することなく、当該既に記憶されている電子メールアドレスと対応付けて、少なくとも入力手段に入力された店舗特定情報を記憶することを特徴とする。
【００２２】
以下においては、店舗が遊技場１（例えばパチンコ店）であり、この遊技場１の数がＡ〜Ｃの３つである例について説明する。また、店舗を個々に特定可能な店舗特定情報が、各遊技場１のホールＩＤ（遊技場ＡのホールＩＤが「Ａ」，遊技場ＢのホールＩＤが「Ｂ」，及び遊技場ＣのホールＩＤが「Ｃ」）である例について説明する。ここで、店舗は遊技場１に限定されるものではなく、また店舗である遊技場１の数は３つに限らず２以上であれば良い。なお、以下の説明中ではデータベースを「ＤＢ」と略記する。
【００２３】
管理装置６０は、図１に示すように、会員管理機構３（例えば、各遊技場１において、遊技の際等に使用される会員カードを供給するカード会社）に設けられ、複数の遊技場１（ここではＡ〜Ｃ）各々に設けられた場内管理装置５０と専用線２を介して通信可能に接続されている一方、インターネット４を介して遊技場１で会員登録を行った会員が所有するＰＣや携帯電話等の情報端末と通信可能（即ち電子メールの送信が可能）となっている。
【００２４】
ここで、場内管理装置５０は店舗管理装置の一例であって、当該遊技場１で会員登録を行った会員に関する属性情報を含む会員情報を管理するものであり、各遊技場１（ここではＡ，Ｂ，Ｃ）内の所定箇所（例えば管理事務所等）に設けられ、図１に示すように通信部５１，制御部５２，ハードディスク５３，入力装置５４，及びディスプレイ５５等を備えるものである。これらの各構成要素は図１に示すように接続されている。
【００２５】
場外通信部５１は、専用線２を介して管理装置６０の通信部６１と通信可能に接続されており、場内管理装置５０と管理装置６０との間における通信を司るものである。この場外通信部５１からは、後述するメール設定画面（図９（ｃ））にて設定された電子メールの内容が管理装置６０に送信される。また、会員登録に際して、管理装置６０から送信される当該遊技場１の会員情報を受信する。
【００２６】
制御部５２は、ＣＰＵ，ＲＡＭ，ＲＯＭ等を備えており、ハードディスク５３に記憶されている処理プログラムがＲＡＭを作業領域としてＣＰＵで実行されることにより、接続される各構成要素の動作を制御して各種の処理を行うものであり、例えば前記場外通信部５１の情報の送受等を制御する。
【００２７】
記憶装置であるハードディスク５３は図２に示すように、会員情報ＤＢを記憶している。この図２には、遊技場Ａ〜Ｃのそれぞれの場内管理装置５０が記憶する会員情報ＤＢを示している。この会員情報ＤＢは、当該場内管理装置５０が配置される遊技場１で会員登録を行った会員に関する会員情報と、該会員の電子メールアドレスとを管理するＤＢであり、会員情報として、会員を個々に特定可能な「会員ＩＤ」と対応付けて、「氏名」，「性別」，「住所」，「生年月日」，及び「年齢」を管理すると共に、当該会員の「電子メールアドレス」を管理している。ここで管理される会員情報は、各遊技場１で顧客が会員登録を行った際に登録された情報又は登録後に更新された情報である。この登録方法及び更新方法については後述する。なお、前記会員情報のうち「性別」，「住所」，「生年月日」，及び「年齢」については会員に関する属性情報となる。
【００２８】
入力装置５４は、各種の情報の入力を受け付けるための入力デバイスであり、例えばキーボードやマウス等である。またディスプレイ５５は、各種の情報を表示するための表示デバイスであり、例えば液晶表示器である。この入力装置５４及びディスプレイ５５は、後述する図９（ｃ）に示すように当該遊技場１の会員に送信する電子メールの内容の設定を行うものである。
【００２９】
管理装置６０は、前述したように会員管理機構３に設けられ、図１に示すように通信部６１，制御部６２，ハードディスク６３，入力装置６４，及びディスプレイ６５等を備えるものである。これらの各構成要素は図１に示すように接続されている。
【００３０】
記憶装置であるハードディスク６３は記憶手段の一例であって、複数の遊技場１に関して、各遊技場（Ａ〜Ｃ）で会員登録を行った会員に関する会員情報と、該会員の電子メールアドレスと、当該会員登録が行われた遊技場１のホールＩＤとを対応付けて記憶するものであり、ここでは図３に示すように、会員情報ＤＢを記憶している。この会員情報ＤＢは、各会員（遊技場Ａ〜Ｃの少なくとも一つで会員登録を行った会員）の「電子メールアドレス」に対応付けて、当該会員が会員登録を行った各遊技場１（Ａ〜Ｃ）における「会員ＩＤ」を管理している。即ち、一つの電子メールアドレスに対応付けて、遊技場Ａにおける会員ＩＤである「会員ＩＤ（Ａ）」，遊技場Ｂにおける会員ＩＤである「会員ＩＤ（Ｂ）」，遊技場Ｃにおける会員ＩＤである「会員ＩＤ（Ｃ）」を管理している。また、前記場内管理装置５０の会員情報ＤＢと同様に、会員情報として、「氏名」，「性別」，「住所」，「生年月日」，及び「年齢」を管理している。さらに、前記会員登録が行われた遊技場１のホールＩＤ（Ａ〜Ｃ）と、後述するメール数上限設定画面（図５）にて設定された所定期間内に当該「電子メールアドレス」宛に送信した電子メールの数である「送信回数」を管理する。この「送信回数」の項目は、対応する電子メールアドレス宛に電子メールが送信される毎に「１」加算され、前記所定期間が経過すると「０」にクリア（リセット）される。なお、前述したように前記会員情報のうち「性別」，「住所」，「生年月日」，及び「年齢」（「生年月日」から自ずと特定される）については会員に関する属性情報となる。
【００３１】
また、ハードディスク６３は前記会員情報ＤＢの他、図４に示すシステム情報ＤＢ，一般広告ＤＢ，及び遊技場情報ＤＢを記憶しているが、これらのＤＢについては後述する。
【００３２】
通信部６１は通信手段の一例であって、前記各遊技場１に設けられる場内管理装置５０と通信できるものであり、ここでは専用線２を介して各遊技場１（ここではＡ〜Ｃ）の場内管理装置５０の場外通信部５１と通信可能に接続されており、管理装置６０と各場内管理装置５０との通信を司るものである。また、通信部６１は、インターネット４を介して会員の情報端末と通信可能であり、管理装置６０と会員の情報端末との通信を司るものである。
【００３３】
また通信手段として機能する通信部６１は、後述する図８に示すように、ハードディスク６３（会員情報ＤＢ）において属性情報（「性別」，「住所」，「生年月日」，「年齢」）の更新が行われたときに、該更新された属性情報を含む更新指示を、該更新された属性情報と対応付けて記憶されているホールＩＤから特定される遊技場１に設けられる場内管理装置５０に対して送信するものである。
【００３４】
また通信部６１は送信手段の一例であって、記憶手段であるハードディスク６３（会員情報ＤＢ）に記憶されている電子メールアドレス宛に電子メールを送信するものである。
【００３５】
なお、管理装置６０の通信部６１から会員の電子メールアドレス宛に送信される電子メールは、インターネット４に接続されたインターネットメールサーバ（図示外）を経由して会員の情報端末に送信される。会員は情報端末上で動作する電子メール閲覧用ソフトウェアによって受信した電子メールの内容を確認することができる。また、前記情報端末が携帯電話の場合には、管理装置６０から送信される電子メールは前記インターネットメールサーバを経由した後、さらに携帯電話用メールサーバ（図示外）を経由して会員の携帯電話に送信される。
【００３６】
また送信手段として機能する通信部６１は、後述する図１０（ｂ）に示すように、抽出手段（制御部６２）により抽出された電子メールアドレス宛に、広告受付手段（入力手段６４，ディスプレイ６５）により受け付けた広告情報を含む電子メールを送信する。
【００３７】
また送信手段として機能する通信部６１は、後述する図１０（ｂ）及び（ｃ）に示すように、ハードディスク６３（会員情報ＤＢ）が記憶している電子メールの数が、上限設定手段（入力手段６４，ディスプレイ６５）により設定された上限に達していることを条件として、当該電子メールアドレス宛に電子メールを送信しないものであるが、後述する図１０（ａ）に示すように、優先メール設定手段（入力手段６４，ディスプレイ６５）により送信を行うと設定された内容の電子メールを会員に送信するときには、前記ハードディスク６３が記憶している電子メールの数が前記上限設定手段により設定された上限に達した電子メールアドレスであっても、当該電子メールアドレス宛に電子メールを送信する。
【００３８】
さらに送信手段として機能する通信部６１は、後述する図１０（ｃ）に示すように、各電子メールアドレス宛に、電子メール統合手段（制御部６２）により作成された電子メールを送信する。
【００３９】
入力装置６４は、各種の情報の入力を受け付けるための入力デバイスであり、例えばキーボードやマウス等である。またディスプレイ６５は、各種の情報を表示するための表示デバイスであり、例えば液晶表示器である。
【００４０】
これら入力装置６４及びディスプレイ６５は上限設定手段の一例であって、一つの電子メールアドレスに対して所定期間内に送信する電子メールの数の上限を設定するものであり、ここでは後述する図５に示すメール数上限設定画面によりこの設定を行う。
【００４１】
また入力装置６４及びディスプレイ６５は入力手段の一例であって、新たに会員登録を行った会員に関する会員情報と、該会員の電子メールアドレスと、当該会員登録が行われた店舗の前記店舗特定情報（ホールＩＤ）とを入力するものであり、ここでは後述する図６〜図８に示す会員登録画面によりこの入力を行う。
【００４２】
また入力装置６４及びディスプレイ６５は広告受付手段の一例であって、広告情報と、該広告情報を送信する対象となる会員の属性条件とを受け付けるものであり、ここでは後述する図９（ｂ）に示すメール設定画面によりこの受付を行う。
【００４３】
さらに入力装置６４及びディスプレイ６５は優先メール設定手段の一例であって、各電子メールの内容毎に、前記所定期間内に送信される電子メールの数が上限設定手段（入力装置６４及びディスプレイ６５）により設定された上限に達した後であっても当該内容の電子メールの送信を行うか否かを設定するものであり、ここでは後述する図９（ａ）〜（ｃ）に示すメール設定画面によりこの設定を行う。
【００４４】
制御部６２は、ＣＰＵ，ＲＡＭ，ＲＯＭ等を備えており、ハードディスク６３に記憶されている処理プログラムがＲＡＭを作業領域としてＣＰＵで実行されることにより、接続される各構成要素の動作を制御して各種の処理を行うものである。
【００４５】
この制御部６２は記憶判定手段の一例であって、入力手段（入力装置６４及びディスプレイ６５）に入力された電子メールアドレスが、ハードディスク６３（会員情報ＤＢ）に既に記憶されているか否かを判定するものである。
【００４６】
また制御部６２は店舗特定手段の一例であって、複数の遊技場１に関して各遊技場独自の内容の電子メールをそれぞれの遊技場（Ａ〜Ｃ）で会員登録を行った会員に送信するときに、ハードディスク６３（会員情報ＤＢ）に記憶されている各電子メールアドレス毎に、当該電子メールアドレスと対応付けて前記複数の遊技場１のうちのいずれの遊技場のホールＩＤが記憶されているかを特定するものである。
【００４７】
また制御部６２は電子メール統合手段の一例であって、各電子メールアドレス毎に、店舗特定手段（制御部６２）により特定されたホールＩＤから特定される遊技場１に関する電子メールの内容を合わせた１つの電子メールを作成するものである。
【００４８】
また制御部６２は属性判定手段の一例であって、記憶判定手段（制御部６２）により、入力手段（入力装置６４及びディスプレイ６５）に入力された電子メールアドレスが、ハードディスク６３（会員情報ＤＢ）に既に記憶されていると判定されたときに、入力手段（入力装置６４，ディスプレイ６５）に入力された属性情報が、当該既に記憶されている電子メールアドレスと対応付けてハードディスク６３（会員情報ＤＢ）に記憶されている属性情報と一致するか否かを判定するものである。
【００４９】
さらに制御部６２は抽出手段の一例であって、記憶手段（ハードディスク６３）が前記電子メールアドレスと対応付けて記憶している属性情報に基づいて、広告受付手段（入力装置６４，ディスプレイ６５）により受け付けた会員の属性条件に合致する会員の電子メールアドレスを抽出するものである。
【００５０】
ここで、所定期間内に送信する電子メールの数の上限を設定する方法について説明する。
【００５１】
図５に示すように、ディスプレイ６５に表示されるメール数上限設定画面は、所定期間と、該所定期間に送信する電子メールの数の上限を設定するための画面である。この画面で、左側の入力欄をクリックすることにより表示されるプルダウンメニューから所定期間を選択し、その右側の入力欄に該所定期間に送信する電子メールの数の上限をキーボードにより入力し、画面下部の「設定」ボタンをクリックすることで、選択された所定期間と、入力された上限が有効になる。なお、「キャンセル」ボタンをクリックすると選択及び入力された値が無効となり、前回に「設定」ボタンがクリックされたときの設定となる。また、この画面では、複数（２以上）の所定期間が設定可能であり、これにより例えば１日に送信する電子メールの数の上限と１ヶ月に送信する電子メールの数の上限を設定可能となる。また、例えば１日に送信する電子メールの数の上限，１週間に送信する電子メールの数の上限，及び１ヶ月に送信する電子メールの数の上限を全て設定可能である。本例では所定期間を１日と設定し、該所定期間に送信する電子メールの数の上限を５通と設定している。
【００５２】
次に、会員登録の方法について図６〜図８を参照して説明する。会員登録を行おうとする顧客は、遊技場１（Ａ〜Ｃ）で用意された会員登録用の用紙に自分の「氏名」，「性別」，「住所」，「生年月日」，及び「電子メールアドレス」を記入し、遊技場１の店員に提出する。遊技場１の店員が記入済みの用紙を会員管理機構３に送る（例えば、郵送やファクシミリ等の通信手段による送信等）。会員管理機構３においては、受け取った（受信した）用紙に記入された情報を、図６に示す会員登録画面により管理装置６０に入力する。
【００５３】
この会員登録画面はディスプレイ６５に表示され、会員登録を行う顧客の「氏名」，「性別」，「住所」，「生年月日」，「電子メールアドレス」，及び当該会員登録を行う「遊技場」を入力するための画面である。
【００５４】
まず最初に、図６を参照して、会員登録を行う顧客（ここではＱ．Ｑとする）が、遊技場Ａ〜Ｃのいずれにも会員登録を行っていない例（第１の例）について説明する。
【００５５】
まず、「氏名」の入力欄に入力装置６４によって当該顧客の氏名を入力し（ここではＱ．Ｑと入力されている）、その右側に表示されている「性別」のプルダウンメニューによって当該顧客の「性別」を選択し（ここでは「男」が選択されている）、「住所」の入力欄に当該顧客の住所を入力し（ここでは神奈川県横浜市*****と入力されている）、「生年月日」の入力欄に当該顧客の生年月日を入力し（ここでは１９６３年８月８日と入力されている）、「電子メールアドレス」の入力欄に当該顧客の電子メールアドレスを入力し（ここではqq@***.ne.jpと入力されている）、当該顧客が会員登録を行う遊技場１を「遊技場」のチェックボックスにチェックすることによって選択して（ここではＡ〜Ｃのチェックボックスのうち、Ｃにチェックがされている）、画面下の「設定」ボタンをクリックする。
【００５６】
前記「設定」ボタンがクリックされたことにより、記憶判定手段である制御部６２が、前記「電子メールアドレス」の入力欄に入力された電子メールアドレス（ここではqq@***.ne.jp）が既にハードディスク６３（会員情報ＤＢ）に記憶されているか否かを判定する。ここでは、前記顧客が遊技場Ａ〜Ｃのいずれにも会員登録を行っておらず、電子メールアドレスが記憶されていないため、未だ記憶されていないと判定する。この記憶されていないとの判定によって、ハードディスク６３（会員情報ＤＢ）が、当該入力された電子メールアドレス（ここではqq@***.ne.jp）と対応付けて、前記入力された「氏名」，「性別」，「住所」，「生年月日」を新たに記憶し、該「生年月日」から算出される当該顧客の「年齢」（ここでは４０）を記憶すると共に、前記チェックされた遊技場１（ここではＣ）のホールＩＤ（ここではＣ）を「ホールＩＤ」に記憶する。この「ホールＩＤ」の記憶処理に際して、本会員登録が行われる遊技場１（Ｃ）における当該顧客の会員ＩＤ（ここでは03-03-00006）が生成されて、記憶される（ここでは会員ＩＤ（Ｃ）として記憶される）。さらに、前記メール数上限設定画面（図５）にて設定された所定期間（ここでは１日）内に送信した電子メールの数である「送信回数」の初期値として０がセットされる。
【００５７】
上記の記憶処理の終了後に、通信部６１から、前記記憶された「ホールＩＤ」から特定される遊技場１（ここではＣ）の場内管理装置５０に対して、新たに記憶した「会員ＩＤ」，「氏名」，「性別」，「住所」，「生年月日」，「年齢」，及び「電子メールアドレス」が送信され、場内管理装置５０の会員情報ＤＢに記憶されて、会員登録が終了する。なお、会員管理機構３においては、前記生成された会員ＩＤが記録された会員カードが発行され、後日、前記会員登録用の用紙への記入を行った顧客（会員）に郵送される（前記用紙に記入された「住所」宛に郵送される）。
【００５８】
次に、図７を参照して、会員登録を行う顧客（ここではＧ．Ｇとする）が、当該会員登録を行う遊技場１（ここではＣとする）以外の遊技場１（ここではＡとする）に既に会員登録を行っている例（第２の例）について説明する。
【００５９】
前記と同様、「氏名」の入力欄に入力装置６４によって当該顧客の氏名を入力し（ここではＧ．Ｇと入力されている）、その右側に表示されている「性別」のプルダウンメニューによって当該顧客の「性別」を選択し（ここでは「男」が選択されている）、「住所」の入力欄に当該顧客の住所を入力し（ここでは埼玉県浦和市*****と入力されている）、「生年月日」の入力欄に当該顧客の生年月日を入力し（ここでは１９８０年９月１５日と入力されている）、「電子メールアドレス」の入力欄に当該顧客の電子メールアドレスを入力し（ここではgg@***.comと入力されている）、当該顧客が会員登録を行う遊技場１を「遊技場」のチェックボックスにチェックすることによって選択して（ここではＡ〜Ｃのチェックボックスのうち、Ｃにチェックがされている）、画面下の「設定」ボタンをクリックする。
【００６０】
前記「設定」ボタンがクリックされたことにより、記憶判定手段である制御部６２が、前記「電子メールアドレス」の入力欄に入力された電子メールアドレス（ここではgg@***.com）が既にハードディスク６３（会員情報ＤＢ）に記憶されているか否かを判定する。ここでは、前記顧客が遊技場Ａにおいて既に会員登録を行っており、電子メールアドレスが記憶されているため、既に記憶されていると判定する。
【００６１】
次に、属性判定手段である制御部６２が、前記記憶判定手段（制御部６２）により既に電子メールアドレスが記憶されていると判定されたことに基づいて、会員登録画面に入力された属性情報（前記会員情報のうち、「性別」，「住所」，及び「生年月日」）が、当該既に記憶されている電子メールアドレス（ここではgg@***.com）と対応付けてハードディスク６３（会員情報ＤＢ）に記憶されている属性情報と一致するか否かを判定する。ここでは図３の会員情報ＤＢに示したgg@***.comに対応する情報と一致するため、属性判定手段である制御部６２は一致すると判定する。
【００６２】
この属性判定手段（制御部６２）が一致すると判定したことを条件として、ハードディスク６３（会員情報ＤＢ）が、当該電子メールアドレス（ここではgg@***.com）を新たに記憶することなく、当該既に記憶されている電子メールアドレス（ここではgg@***.com）と対応付けて、前記チェックされた遊技場１（ここではＣ）のホールＩＤ（ここではＣ）を「ホールＩＤ」に記憶する。このとき、既に記憶されているホールＩＤ（ここではＡ）に加えて記憶する。この「ホールＩＤ」の記憶処理に際して、本会員登録が行われる遊技場１（Ｃ）における当該顧客の会員ＩＤ（ここでは03-03-00007）が生成されて、記憶される（ここでは会員ＩＤ（Ｃ）として記憶される）。
【００６３】
このホールＩＤの記憶処理終了後に、前記と同様に、通信部６１から、前記新たに記憶された「ホールＩＤ」から特定される遊技場１（ここではＣ）の場内管理装置５０に対して、「会員ＩＤ」（送信先の遊技場１に対応する会員ＩＤであり、ここでは会員ＩＤ（Ｃ）），「氏名」，「性別」，「住所」，「生年月日」，「年齢」，及び「電子メールアドレス」が送信され、場内管理装置５０の会員情報ＤＢに記憶（登録）されて、会員登録が終了する。
【００６４】
このように、会員登録画面に入力された電子メールアドレスが、ハードディスク６３（会員情報ＤＢ）に既に記憶されているときには、該入力された電子メールアドレスを新たに記憶することなく、当該既に記憶されている電子メールアドレスと対応付けてホールＩＤを記憶するので、顧客が複数の遊技場１（ここではＡ，Ｃ）に同一の電子メールアドレスにより会員登録をしている場合でも、該電子メールアドレス宛に同一内容の電子メールを重複して送信するという無駄な処理を行うことが無くなる。その結果、同一内容の電子メールを重複して受信した顧客が不快感を抱くというおそれもなくなる。
【００６５】
次に図８を参照して、会員登録を行う顧客（ここではＦ．Ｆとする）が、当該会員登録を行う遊技場１（ここではＣとする）以外の遊技場１（ここではＡ，及びＢとする）に既に会員登録を行っており、かつ会員登録画面に入力された属性情報と、ハードディスク６３（会員情報ＤＢ）に記憶されている属性情報とが一致しない例（第３の例）について説明する。
【００６６】
前記と同様、「氏名」の入力欄に入力装置６４によって当該顧客の氏名を入力し（ここではＦ．Ｆと入力されている）、その右側に表示されている「性別」のプルダウンメニューによって当該顧客の「性別」を選択し（ここでは「女」が選択されている）、「住所」の入力欄に当該顧客の住所を入力し（ここでは東京都渋谷区*****と入力されている）、「生年月日」の入力欄に当該顧客の生年月日を入力し（ここでは１９６９年５月１１日と入力されている）、「電子メールアドレス」の入力欄に当該顧客の電子メールアドレスを入力し（ここではff@***.co.jpと入力されている）、当該顧客が会員登録を行う遊技場１を「遊技場」のチェックボックスにチェックすることによって選択して（ここではＡ〜Ｃのチェックボックスのうち、Ｃにチェックがされている）、画面下の「設定」ボタンをクリックする。
【００６７】
前記「設定」ボタンがクリックされたことにより、記憶判定手段である制御部６２が、前記「電子メールアドレス」の入力欄に入力された電子メールアドレス（ここではff@***.co.jp）が既にハードディスク６３（会員情報ＤＢ）に記憶されているか否かを判定する。ここでは、前記顧客が遊技場Ａ，Ｂの２つに既に会員登録を行っており、電子メールアドレスが記憶されているため、既に記憶されていると判定する。
【００６８】
次に、属性判定手段である制御部６２が、前記記憶判定手段（制御部６２）により既に電子メールアドレスが記憶されていると判定されたことに基づいて、会員登録画面に入力された属性情報（前記会員情報のうち、「性別」，「住所」，及び「生年月日」）が、当該既に記憶されている電子メールアドレス（ここではff@***.co.jp）と対応付けてハードディスク６３（会員情報ＤＢ）に記憶されている属性情報と一致するか否かを判定する。ここでは、図３の会員情報ＤＢに示したff@***.co.jpに対応する情報と住所が異なる（会員情報ＤＢに記憶されている住所は東京都品川区*****）ため、属性判定手段である制御部６２は一致しないと判定する。
【００６９】
この属性判定手段（制御部６２）が一致しないと判定したことを条件として、ハードディスク６３（会員情報ＤＢ）が、当該電子メールアドレス（ここではff@***.co.jp）を新たに記憶することなく、当該既に記憶されている電子メールアドレス（ここではff@***.co.jp）と対応付けて、前記チェックされた遊技場１（ここではＣ）のホールＩＤ（ここではＣ）を「ホールＩＤ」に記憶する。このとき、既に記憶されているホールＩＤ（ここではＡ及びＢ）に加えて記憶する。この「ホールＩＤ」の記憶処理に際して、本会員登録が行われる遊技場１（Ｃ）における当該顧客の会員ＩＤ（ここでは03-03-00008）が生成されて、記憶される（ここでは会員ＩＤ（Ｃ）として記憶される）。
【００７０】
さらに、この一致しないとの判定に基づいて、ハードディスク６３は、記憶されている属性情報を前記会員登録画面に入力された属性情報に更新して記憶する。ここで更新する属性情報は、前記入力された「性別」，「住所」，及び「生年月日」の全ての属性情報でも良く、一致しない「住所」のみでも良い。
【００７１】
上記ホールＩＤの記憶処理及び属性情報の更新後に、前記と同様に、通信部６１から、前記新たに記憶された「ホールＩＤ」から特定される遊技場１（ここではＣ）の場内管理装置５０に対して、「会員ＩＤ」（送信先の遊技場１に対応する会員ＩＤであり、ここでは会員ＩＤ（Ｃ）），「氏名」，「性別」，「住所」，「生年月日」，「年齢」，及び「電子メールアドレス」が送信され、場内管理装置５０の会員情報ＤＢに記憶（登録）される。
【００７２】
また、通信手段である通信部６１から、前記新たに記憶された「ホールＩＤ」以前に、前記電子メールアドレス（ff@***.co.jp）と対応付けて記憶されていた「ホールＩＤ」から特定される遊技場１（ここではＡ，Ｂ）の場内管理装置５０に対して、「会員ＩＤ」（送信先の遊技場１に対応する会員ＩＤであり、ここでは送信先が遊技場Ａの場合は会員ＩＤ（Ａ），送信先が遊技場Ｂの場合は会員ＩＤ（Ｂ）である），「氏名」，「性別」，「住所」，「生年月日」，「年齢」，及び「電子メールアドレス」を含む更新指示が送信される。
【００７３】
この更新指示を受信した遊技場１（ここではＡ及びＢ）については、受信した更新指示に含まれる「電子メールアドレス」（「会員ＩＤ」でも良い）と対応付けて会員情報ＤＢにて管理している情報が、同受信した更新指示に含まれる情報に更新される。
【００７４】
このように、会員登録画面において入力された住所（東京都渋谷区*****）が、既に会員情報ＤＢに記憶されている電子メールアドレスと対応付けて記憶されている住所（東京都品川区*****）と一致しないときに、該記憶されている住所を前記入力された住所に更新して記憶するので、常に最新の住所を管理することができる。これにより、例えば住所に基づいて電子メールの送信対象となる会員の電子メールアドレスを抽出する際に、最新の住所に基づく正確な抽出が可能となる。
【００７５】
また更新指示を、更新された住所と対応付けて記憶されているホールＩＤから特定される遊技場１（ここではＡ〜Ｃ）に設けられる場内管理装置５０に対して送信するので、会員が住所の更新を行うために各遊技場１で更新手続を行う手間が省け、各遊技場１で管理している住所を最新のものに更新することができる。
【００７６】
次に、図９（ａ）に示すように、ディスプレイ６５に表示されるメール設定画面は、会員に送信する電子メールの設定を行う画面であり、これによって前記設定された上限に達した後であっても当該内容の電子メールの送信を行うか否かの設定と、前記広告情報及び該広告情報を送信する対象となる会員の属性条件の受付を行う。このメール設定画面では、当該電子メールの送信対象となる会員の指定，当該電子メールのタイトルの入力，同送信内容の入力，同送信日の入力，同優先度の選択，及び当該電子メールがシステム案内であるか否かの選択を行う。
【００７７】
まず、電子メールの送信対象となる会員の属性条件の指定を行うにあたり、「送信対象」のプルダウンメニューにより「全会員」，「男性会員」，「女性会員」の中からいずれかを選択する。ここで「全会員」を選択した場合には、図３の会員情報ＤＢが管理する全会員が対象となる。また、男性会員を選択した場合には、会員情報ＤＢにおいて「性別」が男である会員が対象となる。女性会員を選択した場合には、会員情報ＤＢにおいて「性別」が女である会員が対象となる。さらに、プルダウンメニュー右側の「対象年齢」の入力欄に年齢を入力し、「以上」又は「以下」を選択することによって、前記プルダウンメニューにより選択された会員（すなわち「全会員」，「男性会員」，「女性会員」のいずれか）であって、かつ、入力した年齢以上または、入力した年齢以下の会員が送信対象となる。これによって例えば、電子メールの送信対象として、３０歳以上の男性会員というような指定を行うことが可能となる。なお、図９（ａ）ではプルダウンメニューで「全会員」が選択されており、「対象年齢」が入力されていないので、性別及び年齢に関係なく、会員情報ＤＢが管理する全会員が当該電子メールの送信対象となる。なお、本例において、管理装置６０のディスプレイ６５に表示されるメール設定画面で設定する電子メールの内容は、当該会員管理機構３が管理している全遊技場１（Ａ〜Ｃ）の会員を対象とするものである。従ってこのメール設定画面では、「送信対象」として、「Ａ店全会員」や「Ｂ店全会員」のように特定の遊技場１の会員を選択することができないものとするが、これに限らず、管理装置６０のメール設定画面において、「送信対象」として特定の遊技場１の会員を選択することができるようにしても良い。
【００７８】
なお、「タイトル」の入力欄には、当該電子メールの題名を入力し（ここでは「ホームページの案内」と入力されている。）、「送信内容」の入力欄には、当該電子メールにより送信する情報を入力する（ここでは「Ａ店，Ｂ店，Ｃ店会員の皆様、http:*******にアクセスいただくと各店のイベント情報がご覧になれます。」と入力されている。）。また、「送信日」の入力欄には当該電子メールの送信予定日を入力する（ここでは２００３年１１月３０日と入力されている）。
【００７９】
次に「優先度」のプルダウンメニューにより「１」又は「２」を選択するが、ここで「１」を選択した場合には、当該電子メールを送信するにあたり、後述する記憶手段（ハードディスク６３）が記憶している電子メールの数が前記上限設定手段（入力装置６４及びディスプレイ６５）により設定された上限（ここでは１日あたり５通）に達している電子メールアドレスであっても送信対象とする。また、プルダウンメニューにより「２」が選択された場合には、前記電子メールの数が前記設定された上限（ここでは１日あたり５通）に達していることを条件として、当該電子メールアドレスを送信対象としない。
【００８０】
また、図９（ａ）において、「優先度」のプルダウンメニュー右側の「システム案内」のチェックボックスにチェックをすることで、当該電子メールが、当該会員管理機構３が提供する情報サービスについての案内である旨を示す。この「システム案内」のチェックボックスは、本例のように、当該電子メールの送信対象が、会員管理機構３が管理している全遊技場１（Ａ〜Ｃ）の会員であり、当該電子メールの内容が、会員管理機構３が運営しているホームページに関する情報を含む場合等にチェックされる。なお、図９（ａ）ではチェックボックスがチェックされているので情報サービスについての案内である。
【００８１】
上記各項目の選択及び入力後に、画面下部の「設定」ボタンをクリックすることにより、前記選択及び入力された電子メールの内容が図４に示すシステム情報ＤＢ又は一般広告ＤＢに登録される。ここで前記「システム案内」のチェックボックスがチェックされている場合には、当該設定された電子メールの内容はシステム情報ＤＢに登録され、チェックされていない場合には、一般広告ＤＢに登録される。
【００８２】
なお、会員管理機構３が、一般企業から依頼された広告（例えばゴルフ専門店×××の広告）についての電子メールの設定を行う場合等には、図９（ｂ）に示すように、前述したようにしてメール設定画面により電子メールの内容を設定し、「システム案内」のチェックボックスをチェックせずに「設定ボタン」を押すことで該電子メールの内容が図４に示す一般広告ＤＢに登録される。なお、この場合「優先度」については通常「２」が選択されるが、「１」も選択可能であり、いずれかを選択するかによって前記一般企業が支払う広告料が異なる。即ち、上限への到達に関わらず広告情報が送信される「優先度１」については高い広告料が適用され、上限への到達により広告情報が送信されなくなる「優先度２」については安い広告料が適用される。このように、入力装置６４及びディスプレイ６５は、広告情報（ここでは「タイトル」，「送信内容」，「送信日」，及び「優先度」）と、該広告情報を送信する対象となる会員の属性条件（ここでは「性別」及び「年齢」）を受け付ける広告受付手段として機能するものである。
【００８３】
なお、画面下部の「キャンセル」ボタンをクリックすると選択及び入力された内容がクリアされる。
【００８４】
以上説明したようにして、管理装置６０が備える入力装置６４及びディスプレイ６５によって電子メールの内容を設定することができるが、これと同様にして、場内管理装置５０の入力装置５４及びディスプレイ５５により各遊技場１独自のメール内容を設定することができる。図９（ｃ）は遊技場Ａの場内管理装置５０のディスプレイ５５に表示されるメール設定画面であり、この例では遊技場Ａで行われる回転祭に関する電子メールの内容が設定されている。この場内管理装置５０側のメール設定画面は、管理装置６０側のメール設定画面と異なり、「送信対象」として当該遊技場１（即ちここではＡ）の会員のみが対象となる。また、ここで設定される電子メールの内容は遊技場１独自のものであるため、「システム案内」のチェックボックスが表示されない。なお、この場内管理装置５０側のメール設定画面で設定された電子メールの内容は、場内管理装置５０の場外通信部５１から管理装置６０に送信され、図４の遊技場情報ＤＢに登録される。
【００８５】
なお、上記システム情報ＤＢ，一般広告ＤＢ，及び遊技場情報ＤＢへの情報の登録に際しては、前記設定された電子メールの内容を個々に特定可能な情報コードが生成され、これも対応付けて登録される。また、前述したように、会員管理機構３が提供する情報サービスについての案内はシステム情報ＤＢにより管理され、一般の広告については一般広告ＤＢにより管理され、各遊技場独自の情報については遊技場情報ＤＢにより管理される。
【００８６】
次に管理装置６０の作用について説明する。管理装置６０は、図４に示した各ＤＢにより管理する情報を電子メールとして会員に送信するにあたり、各情報毎に設定された「送信日」（例えば、システム情報ＤＢの情報であれば送信日当日の１０：００，一般広告ＤＢの情報であれば送信日当日の１１：００，遊技場情報ＤＢの情報であれば送信日当日の１２：００）に各情報に関する電子メールの送信を行う。
【００８７】
まず、図４のシステム情報ＤＢが管理する「ホームページの案内」（情報コードＳ−０３０１９）に関する電子メールを送信する例について説明する。送信日当日（ここでは２００３／１１／３０）には、制御部６２が送信対象となる電子メールアドレスを抽出する。ここでは「送信対象」として「全会員」が設定されているため、会員情報ＤＢが管理する電子メールアドレスが全て抽出される（図１０（ａ））。続けて制御部６２が、当該情報が前記優先メール設定手段により送信を行うと設定されているか否か、即ち「優先度」の設定値がいくつであるかを判定する。ここでは「優先度」が１と設定されているので、制御部６２は、会員情報ＤＢにおいて「送信回数」が上限設定手段により設定された上限である５に達した電子メールアドレス（例えば「送信回数」が６であるll@*****.ne.jp）であっても当該電子メールを送信するものとして、送信対象から外さない。即ち、前記抽出された電子メールアドレスは全て送信対象となる。
【００８８】
続けて送信手段である通信部６１により、送信対象である電子メールアドレス宛に、タイトルが「ホームページの案内」であり、「Ａ店，Ｂ店，Ｃ店会員の皆様 http:*******にアクセスいただくと各店のイベント情報をご覧になれます。」という内容の電子メールを送信する。このように、「優先度」が１と設定された電子メールを送信する場合には、所定期間内（ここでは１日）に送信される電子メールの数が、予め設定された上限（ここでは５）に達した電子メールアドレスであっても当該電子メールを送信するので、上限に関わらず重要性の高いシステム情報ＤＢが管理する情報については確実に送信できる。
【００８９】
次に、図４に示す一般広告ＤＢが管理する「ゴルフ専門店×××」（情報コードＰＲ−０３５５８）に関する電子メールを送信する例について説明する。送信日当日（ここでは２００３／１２／３）には、制御部６２が送信対象となる電子メールアドレスを抽出する。ここでは「送信対象」として男性会員，及び３０歳以上が設定されているので、抽出手段である制御部６２は会員情報ＤＢが管理する電子メールアドレスのうち、男性会員であって３０歳以上の会員の電子メールアドレスを送信対象として抽出する（図１０（ｂ））。続けて制御部６２が、当該情報が前記優先メール設定手段により送信を行うと設定されているか否か、即ち「優先度」の設定値がいくつであるかを判定する。この情報については、「優先度」が２と設定されているので、制御部６２は、会員情報ＤＢにおいて「送信回数」が上限設定手段により設定された上限である５に達した電子メールアドレス（例えば「送信回数」が６であるll@*****.ne.jp）宛に当該電子メールを送信しないものとして、送信対象から外す。このように、「優先度」が２と設定された電子メールを送信する場合には、所定期間内（ここでは１日）に送信される電子メールの数が、予め設定された上限（ここでは５）に達した電子メールアドレス宛に、当該電子メールを送信しないので、電子メールが度を超えて頻繁に送信されて会員に不快感を抱かせることがなくなる。
【００９０】
続けて送信手段である通信部６１により、送信対象である電子メールアドレス宛（抽出された電子メールアドレスのうち、「送信回数」が６であるll@*****.ne.jpを除いた電子メールアドレス宛）に、タイトルが「ゴルフ専門店×××」であり、「ゴルフ専門店×××では各メーカーゴルフクラブを特別価格で提供いたします。詳しくはhttp:******をご覧ください。」という内容の電子メールを送信する。このように、メール設定画面により設定された「送信対象」に合致する会員（男性会員であって、３０歳以上）の電子メールアドレスを抽出し、同受け付けた広告情報（「ゴルフ専門店×××」に関する情報）を含む電子メールを送信するので、当該管理装置６０で管理している会員を広告対象として利用することができると共に、広告内容によって送信対象となる会員を限定できるため、広告効果の薄い会員宛に前記電子メールを送信するという無駄な処理を低減できる。その結果、自分に関係のない電子メールを受信した会員が不快感を抱くというおそれもなくなる。
【００９１】
次に、遊技場情報ＤＢが管理する遊技場Ｂに関する「会員様感謝日」（情報コードＢ−０３０８９）に関する電子メールを送信する例について説明する。この、遊技場情報ＤＢが管理する情報を電子メールとして送信するにあたり、送信日当日（ここでは２００３／１２／１）に、制御部６２が、同日に送信する情報（遊技場情報ＤＢが管理する情報）が他にあるか否かを確認する。ここでは遊技場Ｃに関する「新台入替」（情報コードＣ−０３０９５）が、同日（２００３／１２／１）に送信する情報であり、これら「会員様感謝日」，及び「新台入替」に関する電子メールの送信は以下のように行われる。なお、各情報がいずれの遊技場１に関するものであるかは、情報コードの頭文字によって識別可能となっている。
【００９２】
まず、店舗特定手段である制御部６２が、会員情報ＤＢが管理する各電子メールアドレス毎に、当該電子メールアドレスと対応付けて、前記複数の遊技場１（ここではＢ及びＣ）のうちのいずれの遊技場１のホールＩＤが記憶されているかを特定する。この特定結果を図１０（ｃ）に示す。続けて電子メール統合手段である制御部６２が、各電子メールアドレス毎に、店舗特定手段（制御部６２）により特定されたホールＩＤから特定される遊技場１に関する電子メールの内容を合わせた１つの電子メールを作成する。即ち遊技場Ｂ，Ｃの両方で会員登録を行った会員の電子メールアドレス（例えばee@***.ne.jp及びff@***.co.jp）については遊技場Ｂに関する「会員様感謝日」及び遊技場Ｃに関する「新台入替」の内容を合わせた１つの電子メールを作成する。なお、電子メール統合手段である制御部６２は、遊技場Ｂ，ＣのいずれのホールＩＤも特定されない電子メールアドレス（例えばhh@****.ne.jp及びii@*****.ne.jp）については電子メールを作成しない。また、遊技場Ｂ，Ｃのいずれか一方のホールＩＤが特定された電子メールアドレスについては、各ホールＩＤから特定される遊技場１（Ｂ又はＣ）に関する電子メールを作成する。
【００９３】
続けて制御部６２が、各情報が前記優先メール設定手段により送信を行うと設定されているか否か、即ち「優先度」の設定値がいくつであるかを判定する。これらの情報については、いずれの情報も「優先度」が２と設定されているので、制御部６２は、会員情報ＤＢにおいて「送信回数」が上限設定手段により設定された上限である５に達した電子メールアドレス（例えば「送信回数」が６であるll@*****.ne.jp）宛に当該電子メールの送信対象としないものとして、送信対象から外す。
【００９４】
続けて送信手段である通信部６１は、前記送信対象である各電子メールアドレス宛に、該電子メール統合手段により作成された電子メールを送信する。即ちＢ，Ｃ両方のホールＩＤが特定された電子メールアドレス（例えばee@***.ne.jp及びff@***.co.jp）宛に遊技場Ｂに関する「会員様感謝日」及び遊技場Ｃに関する「新台入替」の内容を合わせた１つの電子メールを送信し、遊技場Ｂ，Ｃのいずれか一方のホールＩＤが特定された電子メールアドレスについては、各ホールＩＤから特定される遊技場１に関する電子メールを送信し、いずれのホールＩＤも特定されなかった電子メールアドレス（例えばhh@****.ne.jp及びii@*****.ne.jp）宛には電子メールを送信しない。
【００９５】
これによれば、ホールＩＤから特定される遊技場１（ここではＢ，Ｃ）に関する電子メールの内容を合わせた１つの電子メールを作成し、送信するので、複数遊技場１に会員登録している顧客（ここではＥ．Ｅ及びＦ．Ｆ）に関して重複した送信処理が不要となる。これに伴い、会員も一通の電子メールで複数遊技場１の電子メール内容を確認できるため、電子メールの確認作業が簡素化される。
【００９６】
最後に、本発明に係る管理装置６０の変形例について説明する。
【００９７】
上記の実施形態では、店舗が遊技場１である例について説明したが、これに限らず、店舗は、各店舗毎に独自に会員登録を行う店舗であれば良く、例えばコンビニエンスストア，デパート，及びレンタルショップ等であっても良い。これらの店舗がチェーン店の関係にある場合には、管理装置６０は、チェーン店本部や複数店舗のうちのいずれかの店舗に配置されても良く、チェーン店である各店舗の会員の電子メールアドレスに対応付けて、当該電子メールアドレスに対応する会員が会員登録を行った店舗を特定可能な店舗ＩＤと、該会員の会員情報を一括して管理しているものである。また、各店舗がチェーン店の関係にない場合には、管理装置６０は、上記実施例の如く、店舗外の会員管理機関に配置され、チェーン店でない各店舗の会員の電子メールアドレスに対応付けて、前記店舗ＩＤと会員情報を一括して管理しているものである。即ち、本発明の管理装置は、その配置される場所、及び各店舗がチェーン店の関係にあるか否かに関わらず、各店舗の会員の電子メールアドレスに対応付けて、店舗ＩＤと会員情報を管理して、各店舗の会員に電子メールを送信するものであれば良い。
【００９８】
上記の実施形態では、管理装置６０が、専用線２を介して各遊技場１の場内管理装置５０と通信可能である例について説明したが、これに限らず管理装置６０は場内管理装置５０と通信可能でなくても良く、会員の情報端末に電子メールを送信可能なものであれば良い。
【００９９】
上記の実施形態では、会員ＩＤは会員管理機構３において生成され、該生成された会員ＩＤの記録された会員カードが会員管理機構３から顧客に郵送される例について説明したが、これに限らず、別の例として、次のような会員登録方法であっても良い。まず、新たに会員登録を行おうとする顧客は、上記実施形態と同様に遊技場１で用意された会員登録用の用紙に自分の「氏名」，「性別」，「住所」，「生年月日」，及び「電子メールアドレス」を記入し、遊技場１の店員に提出する。この際、顧客には予め用意された会員カード（会員ＩＤを記録済み）が発行され、この会員カードに記録された会員ＩＤが、店員により前記用紙に追記され、記入済みの用紙が会員管理機構３に送られる。会員管理機構３においては、受け取った（受信した）用紙に記入された情報（会員ＩＤを含む）を、入力装置６４及びディスプレイ６５等によって管理装置６０に入力する（例えば本例で示した会員登録画面に、さらに会員ＩＤの入力欄が設けてあり、これに会員ＩＤを入力する）。ここで入力された情報は、上記実施形態と同様に管理装置６０側の会員情報ＤＢに登録され、該登録された情報（会員ＩＤを含む）が管理装置６０から前記用紙の送り元である遊技場１の場内管理装置５０に専用線２を介して送信され、場内管理装置５０側の会員情報ＤＢに登録され、登録処理が終了する。
【０１００】
上記の実施形態では、顧客が会員登録用の用紙に必要事項を記入して、遊技場１が記入済みの用紙を会員管理機構３に送り、用紙に記入された情報を入力することによって管理装置側の会員情報ＤＢに登録される例について説明したが、これに限らず、各遊技場１に管理装置と通信可能な会員登録用の端末を配置して、会員登録の際に、該端末に表示される会員登録画面に必要事項を入力することにより、該入力された情報が管理装置に送信されて会員情報ＤＢに登録されても良い。また、この会員登録用端末の機能は場内管理装置が有していても良い。これらの場合には、会員登録用端末から送信される前記情報を受信する通信部６１が入力手段に相当する。
【０１０１】
上記の実施形態では、記憶手段であるハードディスク６３は、記憶判定手段である制御部６２により、入力手段（入力装置６４，ディスプレイ６５）に入力された電子メールアドレスが既に記憶されていると判定されたときに、当該既に記憶されている電子メールアドレスと対応付けて、入力手段に入力されたホールＩＤと、当該会員登録が行われる遊技場１における会員ＩＤを記憶する例について説明したが、これに限らず、会員ＩＤは記憶せずに、少なくとも前記入力手段に入力されたホールＩＤを記憶すれば良い。
【０１０２】
上記の実施形態では、記憶手段が記憶する会員情報が「会員ＩＤ」，「氏名」，「性別」，「住所」，「生年月日」，及び「年齢」である例について説明したが、これに限らず、会員情報として、来店毎に付与される「来店ポイント」や、遊技により獲得した価値の大きさが貯蓄された「貯玉数」等を記憶しても良い。また、会員情報はこれら全ての情報に限らず一部のみであっても良い。
【０１０３】
上記の実施形態では、会員の属性情報が「性別」，「住所」，「生年月日」，及び「年齢」であって、広告受付手段が受け付ける広告情報を送信する対象となる会員の属性条件が「性別」及び「年齢」である例について説明したが、これに限らず、広告受付手段が受け付ける会員の属性条件は属性情報のうちのいずれでも良く、また、どの組み合わせであっても良い。例えば図９のメール設定画面において「対象地域」の入力欄を設けて、該入力欄に入力された地域（例えば東京都渋谷区）に合致する住所の会員の電子メールアドレスを抽出手段（制御部６２）が抽出しても良い。さらに会員の属性情報は上記の情報に限らず、前記会員情報のうち（上記変形例における「来店ポイント」や「貯玉数」を含む）のいずれの情報であっても良い。なお、各遊技場が、自遊技場の会員に対してのみイベント情報を送信する場合を広告の送信としても良く、この場合には広告受付手段は、場内管理装置側の入力装置５４及びディスプレイ５５となり、属性条件としては、本例に示したように例えば、「Ａ店全会員」を属性条件とすれば良い。さらには、会員情報ＤＢにおいて、会員属性情報として、各会員の遊技履歴や景品交換履歴を管理し、広告受付手段（例えば入力装置６４，ディスプレイ６５）は、該遊技履歴や景品交換履歴に関する属性条件を受付可能としても良い（例えばゴルフ専門店の広告であればゴルフ用品と景品交換している会員を送信対象として選択する等）。
【０１０４】
上記の実施形態では、図９（ｂ）に示したように、広告情報と会員の属性条件を受け付ける広告受付手段が、管理装置６０の入力装置６４及びディスプレイ６５である例について説明したが、これに限らず、広告情報と会員の属性条件を、インターネット４等の通信回線を介して広告の依頼主である企業等から受け付ける（受信する）ようにしても良い。このとき、通信部６１が広告受付手段として機能する。
【０１０５】
上記の実施形態では、図９（ｃ）に示したように、場内管理装置５０の入力装置５４及びディスプレイ５５により、自遊技場のイベント情報を設定して、設定された情報が管理装置６０に送信され、遊技場情報ＤＢに登録される例について説明したが、これに限らず、管理装置６０側で各遊技場のイベント情報を設定するようにしても良い。例えば各遊技場からは、電子メール等によりイベント情報の登録依頼を会員管理機構３に送信し、会員管理機構側で、依頼されたイベント情報の登録を行うようにしても良い。
【０１０６】
上記の実施形態では、図９に示したように、電子メールを送信するタイミングとして、メール設定画面において「送信日」を指定する例について説明したが、これに限らず、さらに送信する時間まで指定可能としても良い。このときには、送信日が同日である場合ではなく、送信時間が近い電子メール（例えば２時間以内等）について、前記電子メール統合手段は、各電子メールアドレスに対応する遊技場１の電子メールの内容を合わせた１つの電子メールを作成するようにしても良い。
【０１０７】
上記の実施形態では、電子メール統合手段である制御部６２が２つの電子メール（遊技場Ｂの「会員様感謝日」と遊技場Ｃの「新台入替」）の内容を合わせた１つの電子メールを作成する例について説明したが、これに限らず、３つ以上の電子メールの内容を合わせた１つの電子メールを作成しても良い。
【０１０８】
上記の実施形態では、会員が所有する情報端末がＰＣや携帯電話である例について説明したが、これに限らず、ＰＤＡ等の他の情報端末であっても良く、電子メールを閲覧可能なもので有れば良い。
【図面の簡単な説明】
【０１０９】
【図１】図１は本発明に係る管理装置の一例を示す機能ブロック図である。
【図２】図２は場内管理装置のハードディスクに記憶される会員情報ＤＢの管理情報の一例を表す図である。
【図３】図３は管理装置のハードディスクに記憶される会員情報ＤＢの管理情報の一例を表す図である。
【図４】図４は管理装置のハードディスクに記憶される各ＤＢの管理情報の一例を表す図である。
【図５】図５は管理装置のディスプレイに表示されるメール数上限設定画面の一例を表す図である。
【図６】図６は会員登録方法の第１の例を表す図である。
【図７】図７は会員登録方法の第２の例を表す図である。
【図８】図８は会員登録方法の第３の例を表す図である。
【図９】図９（ａ）は管理装置のディスプレイに表示されるメール設定画面の一例を表す図であり、図９（ｂ）は同ディスプレイに表示されるメール設定画面の他の例を表す図であり、図９（ｃ）は場内管理装置のディスプレイに表示されるメール設定画面の一例を表す図である。
【図１０】図１０（ａ）はシステム情報ＤＢの管理情報を送信する際の処理の一例を表す図であり、図１０（ｂ）は一般広告ＤＢの管理情報を送信する際の処理の一例を表す図であり、図１０（ｃ）は遊技場情報ＤＢの管理情報を送信する際の処理の一例を表す図である。
【符号の説明】
【０１１０】
１…遊技場
５０…場内管理装置
６０…管理装置
６１…通信部
６２…制御部
６３…ハードディスク
６４…入力装置
６５…ディスプレイ
【要約】
【課題】顧客が複数の店舗に同一の電子メールアドレスで会員登録をしている場合に、当該電子メールアドレス宛に同一内容の電子メールを重複して送信しない管理装置を提供する。
【解決手段】複数の遊技場に関して、新たに会員登録を行った会員に関する会員情報と、該会員の電子メールアドレスと、当該会員登録が行われた遊技場１のホールＩＤとを入力し、該入力された電子メールアドレスが、会員情報ＤＢに既に記憶されているか否かを判定し、既に記憶されていると判定されたときには、前記入力された電子メールアドレスを新たに記憶することなく、当該既に記憶されている電子メールアドレスと対応付けて、前記入力されたホールＩＤを記憶する。
【選択図】        図７
【図１】
0003623956.tif 000002
【図２】
0003623956.tif 000003
【図３】
0003623956.tif 000004
【図４】
0003623956.tif 000005
【図５】
0003623956.tif 000006
【図６】
0003623956.tif 000007
【図７】
0003623956.tif 000008
【図８】
0003623956.tif 000009
【図９】
0003623956.tif 000010
【図１０】
0003623956.tif 000011